(57)【特許請求の範囲】
【請求項１】
扉に付けられ、係合凹部を有するハンドル挿入孔が形成されたケースと、
前記ハンドル挿入孔に回動可能に挿入され、前記係合凹部に対向する位置にラッチ用開口が形成された回動ブッシュと、
該回動ブッシュの軸方向にスライド可能に挿入されるとともに、前記軸方向に対して直交しかつ互いに直交する方向にラッチ挿入孔とスライダ挿入孔とが形成された軸部を有する引き出し型のハンドルと、
前記軸方向となる前記回動ブッシュと前記軸部との間に介在し、前記ハンドルを前記ケース表面から突出させる方向へ付勢するスプリングと、
バネ付勢力が付与されて前記ラッチ挿入孔に挿入されていて、前記バネ付勢力に抗して前記ラッチ挿入孔及び前記ラッチ用開口を移動されて前記係合凹部に係入されることにより、前記ハンドルの前記ケース表面からの突出を阻止するラッチと、
バネ付勢力が付与されて前記スライダ挿入孔に挿入されていて、前記バネ付勢力によりラッチ規制位置に前記スライダ挿入孔を移動されることによって前記ラッチと接触して前記ラッチに付与されている前記バネ付勢力に抗して前記ラッチを前記係合凹部に対して係入させるとともに前記ラッチの前記係合凹部からの離脱を規制し、前記バネ付勢力に抗してラッチ規制解除位置に前記スライダ挿入孔を移動されることによって前記ラッチから離間されて前記ラッチの前記係合凹部からの離脱の規制を解除するスライダと、
前記ケースに設けられ、解錠信号に基いて前記スライダに付与されている前記バネ付勢力に抗して駆動部材を介し前記スライダを前記ラッチ規制位置から前記ラッチ規制解除位置に移動させるように駆動するスライダ駆動ユニットとを備え、
前記軸部を介して前記ラッチに付与される前記スプリングの付勢力により、前記スライダが前記ラッチ規制位置から前記ラッチ規制解除位置に移動されても前記係合凹部に対する前記ラッチの係入状態が保持され、前記スプリングの前記付勢力に抗する前記ハンドルの前記軸方向への押し込みにより、前記係合凹部に対する前記ラッチの係入状態を保持している前記ラッチに対する前記スプリングの付勢力が解除されて前記ラッチに付与されている前記バネ付勢力により前記ラッチが前記係合凹部から離脱されて前記スプリングの付勢力により前記ハンドルが前記ケース表面から突出されるようにした
ことを特徴とする扉用電気錠。
【請求項２】
請求項１に記載の扉用電気錠において、
前記ラッチは、互いに引き寄せられる方向にバネ付勢された一対のラッチであって、前記スライダには前記一対のラッチが前記係合凹部から離脱する際の逃がしとなる窪みを前記規制解除位置に形成したことを特徴とする扉用電気錠。
【請求項３】
請求項１又は請求項２に記載の扉用電気錠において、
前記係合凹部は、前記ハンドルの突出方向に凹む溝を有し、前記ラッチには、前記ハンドルが前記スプリングに抗して前記軸方向に押し込まれた際に、前記溝との係止状態が解除される突出部を形成したことを特徴とする扉用電気錠。
【請求項４】
請求項１ないし請求項３いずれか記載の扉用電気錠において、
前記スライダ駆動ユニットが前記解錠信号に基いて前記スライダを駆動した後、所定時間を経て前記駆動部材を前記スライダの駆動前の状態に復帰させるように構成したことを特徴とする扉用電気錠。
【請求項５】
請求項１ないし請求項４いずれか記載の扉用電気錠において、
前記ラッチのバネ付勢力よりも大きい付勢力で前記スライダを前記スライダ駆動ユニットに向けて付勢したことを特徴とする扉用電気錠。
【請求項６】
請求項５に記載の扉用電気錠において、
前記スライダに対する移動規制部材を更に備えたことを特徴とする扉用電気錠。
【請求項７】
請求項１ないし請求項６いずれか記載の扉用電気錠において、
前記ケースは、前記軸部に連成されて前記ハンドルを構成するレバーのためのレバー収納凹部を有し、該レバー収納凹部には前記スライダ駆動ユニットを遠隔操作するための受信部の少なくとも一部を露出させたことを特徴とする扉用電気錠。
【請求項８】
請求項７に記載の扉用電気錠において、
前記レバーの端部には、少なくとも一部を露出させた前記受信部を臨む切り欠き凹部を形成したことを特徴とする扉用電気錠。
【請求項９】
請求項１ないし請求項８いずれか記載の扉用電気錠において、
前記スライダ駆動ユニットは、前記扉の所定位置から非電気的に操作されるとともに、前記駆動部材とは別に前記スライダに接して該スライダを前記スライダ挿入孔の延在方向へ駆動することが可能な非常解錠用駆動部材を有することを特徴とする扉用電気錠。
【請求項１０】
請求項９に記載の扉用電気錠において、
前記扉は釣銭口を有する扉であって、該釣銭口内には連動部材を介して前記非常解錠用駆動部材を操作するシリンダ錠を配設したことを特徴とする扉用電気錠。
【発明の詳細な説明】
【０００１】
【発明の属する技術分野】
本発明は、例えば自動販売機の扉の開閉を規制するとともに、遠隔操作が可能な扉用電気錠に関する。
【０００２】
【従来の技術】
この種の扉用電気錠としては、本願出願人が先に提案し特開平８−２１８６９３号公報（特願平７−２９１３８号  平成７年２月１７日出願）にて開示された扉用電気錠が知られている。
【０００３】
図２２を参照しながら、その開示された扉用電気錠を説明すると、ケース１０１と回動ブッシュ１０２とハンドル１０３とスプリング１０４と一対のラッチ１０５、１０５（図２３及び図２４参照）とモータユニット１０６とラッチ押動部材１０７とを備えて構成されており、自動販売機の扉１０８の表面にケース１０１の表面が露出するような取り付けがなされている。
【０００４】
ケース１０１の表面には、レバー格納凹部１０９が形成されており、レバー格納凹部１０９の一側には、ハンドル挿入孔１１０が穿設されている。ハンドル挿入孔１１０には、ラッチ１０５（図２３参照）の先端形状に一致する窪みとなる係合凹部１１１、１１１が形成されている。
【０００５】
回動ブッシュ１０２は、周壁１１２と後壁１１３から成り、ハンドル挿入孔１１０に回動可能、軸方向移動不能に嵌挿されている。周壁１１２には、軸方向に延在する開口１１４、１１４（図２４参照）が形成されている。また、後壁１１３には、連結ロッド（不図示）を介して扉１０８を自動販売機本体（不図示）にロックするロック部材（不図示）を出没させるための施錠カム１１５が取り付けられている。
【０００６】
ハンドル１０３は、回動ブッシュ１０２の軸方向に対して移動可能に挿入される軸部１１６と、その軸部１１６の前端から直交方向に延在するレバー部１１７とから成り、軸部１１６が回動ブッシュ１０２の後壁１１３に向けて移動する、ハンドル１０３の没入時には、レバー部１１７がレバー格納凹部１０９に収納されるようになっている。軸部１１６の後端部には、ハンドル１０３の没入時に係合凹部１１１、１１１に対向するラッチ挿入孔１１８が形成されている。
【０００７】
一対のラッチ１０５、１０５は、図２３に示される如く、先端形状が山形に形成されており、係合凹部１１１、１１１に係合できるようになっている。また、一対のラッチ１０５、１０５間には、互いを離間する方向へ付勢する圧縮スプリング１１９が設けられている。即ち、一対のラッチ１０５、１０５は、軸部１１６の外周面から突出する方向に付勢され、ハンドル１０３が没入しているときには、回動ブッシュ１０２の開口１１４、１１４（図２４参照）を経由して係合凹部１１１、１１１に係入するようになっている。
【０００８】
スプリング１０４は、図２２に示される如く、軸部１１６の後端部と回動ブッシュ１０２の後壁１１３間に介在し、ハンドル１０３をケース１０１の表面から突出する方向に付勢するようになっている。従って、一対のラッチ１０５、１０５が軸部１１６内に没入する方向に移動させられると、係合凹部１１１、１１１との係合が解除されることになることから、ハンドル１０３がケース１０１の表面から突出するようになる。そして、一対のラッチ１０５、１０５が開口１１４、１１４に沿って移動し、開口１１４、１１４の端部１１４ａ、１１４ａに当接することでハンドル１０３の突出が規制されるようになっている。
【０００９】
モータユニット１０６は、図２２に示される如く、ケース１０１に設けられたユニット収容室１２０内に取り付けられており、その出力軸１２１の先端には、回動円板１２２が設けられている。回動円板１２２は、その中央で出力軸１２１の先端と固着状態になっており、中央より偏心した位置には、偏心軸部１２３が突出形成されている。
【００１０】
ラッチ押動部材１０７は、図２３に示される如く、ケース１０１の裏面側に設けられたプレート状の部材であって、偏心軸部１２３が遊嵌される長孔１２４と、一対のラッチ１０５、１０５に向けてそれぞれ突出する腕１２５、１２５とが形成されている。
【００１１】
上記構成において、上記自動販売機の管理者が所定の設定入力を行うと、モータユニット１０６が作動してラッチ押動部材１０７を駆動する（図２３において右方向）。すると、腕１２５、１２５がラッチ１０５、１０５の先端を押動してラッチ１０５、１０５を回動ブッシュ１０２の周壁１１２内へ没入させる（図２５参照）。これにより、ハンドル１０３がケース１０１の表面から突出し（図２６参照）、管理者はハンドル１０３を回動することで扉１０８を開扉できる。
【００１２】
【発明が解決しようとする課題】
ところで上記従来技術にあっては、図２４に示される如くのハンドル１０３の没入時に、スプリング１０４の付勢力がラッチ１０５、１０５に間接的に掛かり、ラッチ１０５、１０５と係合凹部１１１、１１１の摺動抵抗が大きくなってしまっていた。従って、モータユニット１０６に対する負荷が大きくなり、解錠時にラッチ１０５、１０５を押し込むためには大きなモータを装備することが構成上好ましかった。
【００１３】
しかし、大きなモータを装備すると、扉用電気錠自体が大きくなってしまい、また、コストアップしてしまうことから、その実現は困難であって改善する余地があった。
【００１４】
尚、上記公報は、機械的に非常解錠することができる機構（説明は省略する）を有する扉用電気錠に関しても開示されていることから、このような扉用電気錠も含んで改善する必要があると言える。また、改善するに当たっては、操作性や信頼性や防盗性の向上等の錠装置全般に求められる改善事項も考慮する必要があると言える。
【００１５】
本発明は、上述した事情に鑑みてなされるもので、ハンドルを突出させるためのスプリングの付勢力がラッチに間接的に掛かっても、その付勢力を容易に解除して解錠時の作動をスムーズにし、また、大型化やコストアップが解消され、操作性や信頼性や防盗性の向上等も図れる扉用電気錠を提供することを課題とする。
【００１６】
【課題を解決するための手段】
上記課題を解決するためなされた請求項１記載の本発明の扉用電気錠は、扉に付けられ、係合凹部を有するハンドル挿入孔が形成されたケースと、前記ハンドル挿入孔に回動可能に挿入され、前記係合凹部に対向する位置にラッチ用開口が形成された回動ブッシュと、該回動ブッシュの軸方向にスライド可能に挿入されるとともに、前記軸方向に対して直交しかつ互いに直交する方向にラッチ挿入孔とスライダ挿入孔とが形成された軸部を有する引き出し型のハンドルと、前記軸方向となる前記回動ブッシュと前記軸部との間に介在し、前記ハンドルを前記ケース表面から突出させる方向へ付勢するスプリングと、バネ付勢力が付与されて前記ラッチ挿入孔に挿入されていて、前記バネ付勢力に抗して前記ラッチ挿入孔及び前記ラッチ用開口を移動されて前記係合凹部に係入されることにより、前記ハンドルの前記ケース表面からの突出を阻止するラッチと、バネ付勢力が付与されて前記スライダ挿入孔に挿入されていて、前記バネ付勢力によりラッチ規制位置に前記スライダ挿入孔を移動されることによって前記ラッチと接触して前記ラッチに付与されている前記バネ付勢力に抗して前記ラッチを前記係合凹部に対して係入させるとともに前記ラッチの前記係合凹部からの離脱を規制し、前記バネ付勢力に抗してラッチ規制解除位置に前記スライダ挿入孔を移動されることによって前記ラッチから離間されて前記ラッチの前記係合凹部からの離脱の規制を解除するスライダと、前記ケースに設けられ、解錠信号に基いて前記スライダに付与されている前記バネ付勢力に抗して駆動部材を介し前記スライダを前記ラッチ規制位置から前記ラッチ規制解除位置に移動させるように駆動するスライダ駆動ユニットとを備え、前記軸部を介して前記ラッチに付与される前記スプリングの付勢力により、前記スライダが前記ラッチ規制位置から前記ラッチ規制解除位置に移動されても前記係合凹部に対する前記ラッチの係入状態が保持され、前記スプリングの前記付勢力に抗する前記ハンドルの前記軸方向への押し込みにより、前記係合凹部に対する前記ラッチの係入状態を保持している前記ラッチに対する前記スプリングの付勢力が解除されて前記ラッチに付与されている前記バネ付勢力により前記ラッチが前記係合凹部から離脱されて前記スプリングの付勢力により前記ハンドルが前記ケース表面から突出されるように構成したことを特徴としている。
【００１７】
請求項２記載の本発明の扉用電気錠は、請求項１に記載の扉用電気錠において、前記ラッチは、互いに引き寄せられる方向にバネ付勢された一対のラッチであって、前記スライダには前記一対のラッチが前記係合凹部から離脱する際の逃がしとなる窪みを前記規制解除位置に形成したことを特徴としている。
【００１８】
請求項３記載の本発明の扉用電気錠は、請求項１又は請求項２に記載の扉用電気錠において、前記係合凹部は、前記ハンドルの突出方向に凹む溝を有し、前記ラッチには、前記ハンドルが前記スプリングに抗して前記軸方向に押し込まれた際に、前記溝との係止状態が解除される突出部を形成したことを特徴としている。
【００１９】
請求項４記載の本発明の扉用電気錠は、請求項１ないし請求項３いずれか記載の扉用電気錠において、前記スライダ駆動ユニットが前記解錠信号に基いて前記スライダを駆動した後、所定時間を経て前記駆動部材を前記スライダの駆動前の状態に復帰させるように構成したことを特徴としている。
【００２０】
請求項５記載の本発明の扉用電気錠は、請求項１ないし請求項４いずれか記載の扉用電気錠において、前記ラッチのバネ付勢力よりも大きい付勢力で前記スライダを前記スライダ駆動ユニットに向けて付勢したことを特徴としている。
【００２１】
請求項６記載の本発明の扉用電気錠は、請求項５に記載の扉用電気錠において、前記スライダに対する移動規制部材を更に備えたことを特徴としている。
【００２２】
請求項７記載の本発明の扉用電気錠は、請求項１ないし請求項６いずれか記載の扉用電気錠において、前記ケースは、前記軸部に連成されて前記ハンドルを構成するレバーのためのレバー収納凹部を有し、該レバー収納凹部には前記スライダ駆動ユニットを遠隔操作するための受信部の少なくとも一部を露出させたことを特徴としている。
【００２３】
請求項８記載の本発明の扉用電気錠は、請求項７に記載の扉用電気錠において、前記レバーの端部には、少なくとも一部を露出させた前記受信部を臨む切り欠き凹部を形成したことを特徴としている。
【００２４】
請求項９記載の本発明の扉用電気錠は、請求項１ないし請求項８いずれか記載の扉用電気錠において、前記スライダ駆動ユニットは、前記扉の所定位置から非電気的に操作されるとともに、前記駆動部材とは別に前記スライダに接して該スライダを前記スライダ挿入孔の延在方向へ駆動することが可能な非常解錠用駆動部材を有することを特徴としている。
【００２５】
請求項１０記載の本発明の扉用電気錠は、請求項９に記載の扉用電気錠において、前記扉は釣銭口を有する扉であって、該釣銭口内には連動部材を介して前記非常解錠用駆動部材を操作するシリンダ錠を配設したことを特徴としている。
【００２６】
請求項１に記載された本発明によれば、ハンドルがケース内に没入している際、スライダ駆動ユニットに解錠信号が与えられると、駆動部材を介してスライダがスライダ挿入孔の延在方向へ駆動されることになる。
この時、スライダはラッチから離間されてラッチの係合凹部からの離脱の規制を解除するラッチ規制解除位置に駆動されている。また、スプリングはハンドルをケースの表面から突出させる方向に付勢しているが、その付勢力はハンドルの軸部を介して間接的にラッチに作用し、この付勢力によって、ラッチに付与されているバネ付勢力によりラッチが係合凹部から離脱することが阻止されているので、ハンドルの突出を阻止している状態となっている。
その後、この状態から、ハンドルをスプリングに抗して押し込むと、付勢力がハンドルのみに掛かり、それまでラッチに間接的に掛かっていたスプリングの付勢力が解除されることになる。
そして、その付勢力の解除に伴い、ラッチと係合凹部の係合がラッチのバネ付勢により解除されると、ハンドルがケースの表面から突出することになる。
以上のことから、ハンドルを突出させるためのスプリングの付勢力がラッチに間接的に掛かっても、その付勢力を容易に解除することができるので、解錠時の作動がスムーズになる。
また、スライダ駆動ユニットはスプリングの付勢力の掛かっていないスライダを、これに付与されているバネ付勢力に抗してラッチ規制位置からラッチ規制解除位置に移動させるだけでよく、大きな負荷を必要としないので、上記扉用電気錠が大型化してしまうこともない。
さらには、従来の扉用電気錠の構成と比べても、上記扉用電気錠の構成自体にコストアップの要因を見いだすことはできない。
【００２７】
請求項２に記載された本発明によれば、従来のように、回動ブッシュの外方においてラッチを内方へ没入させる構成ではないので、ラッチ挿入孔の延在方向に扉用電気錠自体が大きくなることはない。むしろ、スライダの配置を鑑みれば、小型化を図ることが可能である。
【００２８】
請求項３に記載された本発明によれば、ハンドルを押し込まない限り、ラッチが係合凹部から離脱できないようになっている。これにより、仮にラッチのバネ付勢がスプリングの付勢力より勝っていた場合であっても、スライダが規制解除位置へ駆動された後に、ハンドルが勝手に突出してしまうようなことはない。
【００２９】
請求項４に記載された本発明によれば、施錠時において、それまで規制解除位置にあったスライダを元の位置に復帰させることができるようになる。これにより、ラッチが係合凹部に係合可能となり、ハンドルを没入させることができるようになる。従って、施錠時の作動をスムーズにすることができる。
【００３０】
請求項５に記載された本発明によれば、ハンドルを没入させると、ラッチが係合凹部に係合する方向に容易に移動する。従って、上記構成にすることにより、施錠時の作動をさらにスムーズにすることができる。また、施錠後に誤って例えば解錠カードをかざして解錠してしまっても、施錠状態となる。
【００３１】
請求項６に記載された本発明によれば、扉用電気錠に例えば上記付勢力よりも大きな衝撃力が外部から掛かったとしてもスライダが移動してしまうことはないので、防盗性の向上を図ることができる。
【００３２】
請求項７に記載された本発明によれば、受信部を扉用電気錠とは別に設ける必要がないことから、受信部用の設置スペースをわざわざ扉に確保しなくてもよい。また、取り付けも扉用電気錠のみで済むことから、作業性が非常によい。
【００３３】
請求項８に記載された本発明によれば、ハンドルの操作性を損なわずに、一層小型化を図ることができる。
【００３４】
請求項９に記載された本発明によれば、扉用電気錠が電気的に故障しても非常解錠用駆動部材を操作することで非常解錠をすることができる。
【００３５】
請求項１０に記載された本発明によれば、シリンダ錠を狙って不正解錠しようとしても、釣銭口がそれを阻止して犯罪を防止することができる。また、シリンダ錠の配設位置が非常に分かり難くなることから、防盗性の向上を図ることができる。
【００３６】
【発明の実施の形態】
以下、図面を参照して本発明の一実施の形態を説明する。
図１は本発明の扉用電気錠の一実施の形態を示す横断面図である。また、図２は図１のＡ−Ａ線断面図、図３は図１のＢ−Ｂ線断面図、図４は扉用電気錠の背面図、図５はハンドルの正面図である。さらに、図６はラッチ単体の図面、図７はスライダ単体の図面である。尚、図８は図４に対し保護カバーを取り除いた状態の背面図である。
【００３７】
図１において、扉用電気錠は、金属製のケース１と、そのケース１内に設けられる回動ブッシュ２と、同じくハンドル３と、ハンドル３をケース１の表面に向けて付勢するスプリング４と、ハンドル３の突出の規制を行う一対のラッチ５、５（図２及び図３参照）と、減速器を備えたモータ等から成るモータユニット６（特許請求の範囲に記載した駆動ユニットに相当）と、モータユニット６により駆動されるスライダ７とを備えて構成されており、自動販売機の扉８の表面に取り付けられ、かつ、施錠時において、上記一対のラッチ５、５（図２及び図３参照）に間接的に掛かるスプリング４の付勢力を容易に解除することができるようになっている。
【００３８】
上記ケース１の表面には、長手方向に延びる浅底のレバー格納凹部９が形成されており、そのレバー格納凹部９の一側（図１において右側）には、上記長手方向に対し直交方向に延在するハンドル挿入孔１０が穿設されている。また、レバー格納凹部９の略中央には、モータユニット６に対するユニット収容室１１が形成されており、そのユニット収容室１１は、ケース１と一体に形成されたカバー１２でレバー格納凹部９と区画されている。さらに、レバー格納凹部９の他側（図１において左側）には、扉用電気錠を遠隔操作する際の受信部となるアンテナ１３のためのアンテナ収容室１４が形成されている。
【００３９】
ハンドル挿入孔１０には、一対のラッチ５、５（図２及び図３参照）が係合する係合凹部１５、１５（図２及び図３参照）が形成されている。係合凹部１５、１５（図２及び図３参照）は、ケース１の裏面から表面に向けて切り欠かれており、その切り欠き範囲は、上記ハンドル３の没入位置で一対のラッチ５、５（図２及び図３参照）が係合するように調整されている。また、係合凹部１５（図２参照）の幅は、ラッチ５（図２参照）の幅よりも若干広く形成されている。
【００４０】
アンテナ１３は、アンテナ本体１６とそのアンテナ本体１６を包被する合成樹脂製のカバー１７とから構成されており、カバー１７の一部をレバー格納凹部９から露出させるようにアンテナ収容室１４に収納されている。
尚、アンテナ１３を一体化しているので扉８の他の部分にアンテナ１３用の設置スペースをわざわざ確保する必要がない。また、取り付けも扉用電気錠のみで済むことから、作業性が非常によい。
アンテナ本体１６とモータユニット６の図示しない制御部との電気的接続については図示を省略している。
【００４１】
一方、ケース１の裏面には、金属プレート状のカバー１８（図４及び図８参照）が締め付け固定されている。カバー１８には、円弧状の長孔１９（図８参照）が穿設されており、その長孔１９（図８参照）の近傍には、断面コ字状の保護カバー２０（図４参照）が固着されている。
【００４２】
上記回動ブッシュ２は、周壁２１と後壁２２とから成り、略カップ状に形成されている。また、回動ブッシュ２は、ハンドル挿入孔１０に回動可能、軸方向移動不能に嵌挿されている。
【００４３】
周壁２１には、軸方向に延在するラッチ用開口２３、２３（図２及び図３参照）とスライダ用開口２４（図２参照）とが形成されている。ラッチ用開口２３、２３は、係合凹部１５、１５に対向して形成されている（図２参照）。スライダ用開口２４は、ラッチ用開口２３に対して９０°回転した位置に配設されており、レバー格納凹部９の位置まで切り欠き形成されている（図３参照）。
尚、図３に示される引用符号２５、２５は、一対のラッチ５、５に対するストッパ部分である。
【００４４】
後壁２２の外面には、二つの突起２６、２６が設けられており、その突起２６、２６に嵌合する施錠カム２７が取り付けられている。また、後壁２２の内面には、上記スプリング４の一端が係合する環状段部２８が形成されている。
【００４５】
施錠カム２７は、突起２６、２６に対応する孔（不図示）と二つのカム部２９、２９（図８参照）とを有しており、施錠カム２７が回動すると連結ロッド（不図示）を介して扉８の上下端に設けられて突出するロック部材（不図示）を出没させることができるようになっている。
【００４６】
上記ハンドル３は、回動ブッシュ２の軸方向に対して移動可能に挿入される軸部３０と、その軸部３０の前端部から直交方向に延在するレバー部３１とから成り、軸部３０が回動ブッシュ２の後壁２２に向けて移動する、ハンドル３の没入時には、レバー部３１がレバー格納凹部９に収納されるようになっている。
【００４７】
軸部３０の後端部には、ハンドル３の没入時に係合凹部１５、１５（図２及び図３参照）に対向するラッチ挿入孔３２、３２（図２参照）と、スライダ用開口２４（図２参照）に対向するスライダ挿入孔３３とが、軸方向に対して直交しかつ互いに直交する方向に形成されている。軸部３０の後端部には、上記スプリング４の他端が係合する環状凹部３４が形成されている。
【００４８】
尚、軸部３０は、図３に示される如く、中空に形成されており、前端部にはガードキャップ３５が固着されている。ガードキャップ３５は、レバー部３１（図５参照）よりも外方に突出する略円板状の保護部３６と固定軸３７とから構成されており、固定軸３７には環状溝３８が形成されている。環状溝３８には、軸部３０に穿設されたねじ孔に螺合する固定ねじ３９、３９が係合するようになっている。ガードキャップ３５は、ハンドル３よりも十分に堅い金属で形成されており、そのガードキャップ３５を設けることで、ハンドル３がドリル等の工具で破壊されてしまうのを防止することができるようになる。また、ガードキャップ３５は、空転可能に取り付けることもできる。
【００４９】
レバー部３１は、図５に示される如く、先端部が略Ｕ字状に切り欠かれた切り欠き凹部４０を有しており、その切り欠き凹部４０を介してアンテナ１３を臨むことができるようになっている。尚、切り欠き凹部４０を設けず仮想線Ｌの位置でレバー部３１を切り落とし、アンテナ１３の露出部分を確保するような構成としてもよい。
【００５０】
上記スプリング４は、図１に示される如く、圧縮型の円錐スプリングであって、長径となる一端が回動ブッシュ２の環状段部２８に係合し、また、短径となる他端がハンドル３の環状凹部３４に係合するようになっている。
【００５１】
上記一対のラッチ５、５は、図２及び図３に示される如く、ラッチ挿入孔３２、３２に挿入され、引張バネ４１によりバネ付勢された状態で対向配置されている。ラッチ５をもう少し詳しく説明すると、図６（ａ）〜（ｃ）に示される如く、ラッチ５はストッパ４２とバネ軸４３とから成り、ストッパ４２には、上記スライダ７（図７参照）に接触するとともに後述する窪み５１に係入する略三角形状の突出部４４と、ラッチ挿入孔３２（図２及び図３参照）を摺動する袴部４５、４５とが形成されている。バネ軸４３は、ストッパ４２の略中央に固着されている。バネ軸４３の溝４６は、引張バネ４１（図２及び図３参照）の端部が係合するようになっている。
【００５２】
上記スライダ７は、図１及び図２に示される如く、スライダ挿入孔３３に挿入されており、また、圧縮バネ４７により上記モータユニット６に向けてバネ付勢されている。スライダ７をもう少し詳しく説明すると、図７（ａ）〜（ｃ）に示される如く、スライダ７は略棒状に形成されており、薄肉となっている一端は、後述するモーターカム５４を考慮してその側面の一部が弧状に形成されている。また、その一部に対して逆側となる側面には、後述するクロー５６が係合する凹部４８が形成されている。上記一端に対する他端には、圧縮バネ４７（図１及び図２参照）が嵌挿される凹部４９が形成されている。一方、スライダ７の中間には、引張バネ４１（図２及び図３参照）に対する逃がし部５０が形成されている。また、同じく中間には、突出部４４（図６参照）が係入する略三角形状の窪み５１、５１が形成されている。引用符号５２、５２は、スライダ用開口２４（図２参照）に当接する段部を示している。
【００５３】
尚、窪み５１、５１の位置が特許請求の範囲に記載した規制解除位置に相当するものとする。また、圧縮バネ４７の付勢力は、引張バネ４１の付勢力よりも大きく設定することが好ましい。即ち、圧縮バネ４７の付勢力によって、ラッチ５、５の窪み５１、５１に対する係入離脱を可能とすることが好ましい。
【００５４】
図１に戻り、上記モータユニット６は、アンテナ１３を介して解錠信号を受信すると、図示しない制御部がモーターを作動させ、扉用電気錠の解錠を行うようになっている。上記制御部はタイマー（不図示）を有しており、解錠がなされて所定時間を経ると元の状態に戻るような制御プログラムが組み込まれている（元の状態に戻るように制御することで、施錠後に誤って例えば解錠カードをかざして解錠してしまっても、施錠状態になる（スライダ７が付勢されているため）。これにより、防盗性の向上を図ることができる）。
【００５５】
モータユニット６の図示しない減速器に設けられた出力軸５３の先端には、モーターカム５４（特許請求の範囲に記載した駆動部材に相当）が固着されており、また、モーターカム５４よりもカバー１８側には、エマージェンシーカム５５（特許請求の範囲に記載した非常解錠用駆動部材に相当）が遊嵌されている。さらに、上記軸方向におけるモーターカム５４及びエマージェンシーカム５５の位置には、クロー５６（図２参照、特許請求の範囲に記載した移動規制部材に相当）が配設されている。引用符号５７は、堅い金属から成るガードプレートを示しており、モータユニット６に対する破壊行為を防止するための部材である。
【００５６】
尚、上記モータユニット６に代えてソレノイドを用いることも当然に可能である。その際には、スライダ７の移動方向とソレノイドのプランジャーの移動方向とが一致するように配置し直す必要があるが、これについては図示及び説明を省略する。
【００５７】
モーターカム５４は、出力軸５３の回動に追従するようになっており、図２に示される如く、クロー５６に当接する当接部５８と、クロー５６を回動させる際にスライダ７の位置が変わらないようにするための第一弧部５９と、スライダ７を駆動するための第二弧部６０とを備えて構成されている。第一弧部５９は、出力軸５３からの距離が等しく形成されており、第二弧部６０は、出力軸５３からの距離が次第に長くなるように形成されている。
【００５８】
エマージェンシーカム５５は、出力軸５３の回動に追従せず遊嵌されており、図１６に示される如く、バネ６１によりバネ付勢されて常に元の位置に復帰することができるようになっている。形状としては、モーターカム５４（図２参照）の外観形状に一致し、同じ機能となる当接部６２と第一弧部６３と第二弧部６４とを備えて構成されている。第二弧部６４には、カバー１８（図８参照）の長孔１９（図８参照）を摺動する突起６５が設けられており、その突起６５には非常解錠用のワイヤ６６（図４参照、特許請求の範囲に記載した連動部材に相当）の一端６７（図４参照）が係合するようになっている。
【００５９】
クロー５６は、図２に示される如く、一端にスライダ７の凹部４８（図７参照）に係合する爪部６８が形成されており、その爪部６８の近傍には、モーターカム５４の当接部５８、及びエマージェンシーカム５５（図１６参照）の当接部６２（図１６参照）が当接する平面部６９が形成されている。また、上記一端に対する他端は、モータユニット６に枢着されており、バネ７０によってモーターカム５４側に付勢されている。尚、クロー５６は、扉用電気錠に何らかの衝撃が加わった際に、スライダ７が解錠方向へ移動してしまうのを規制する部材である（防盗性が向上する）。
【００６０】
上記構成において、扉用電気錠の作用について説明する。
【００６１】
施錠時には、図１に示される如く、ハンドル３がケース１内に没入している。また、図２に示される如く、モーターカム５４が初期位置にあり、スライダ７は、圧縮バネ４７により付勢されてラッチ規制位置にスライダ挿入孔３３を移動されることによってスライダ用開口２４からその一端が突出し、モーターカム５４に当接している。さらに、クロー５６の爪部６８は、スライダ７の凹部４８（図７参照）に係合し、スライダ７の移動を規制している。そして、この状態において、スライダ７がラッチ５の突出部４４に接触してラッチ５、５の内方への移動を規制しているので、係合凹部１５、１５に係合した状態が保たれ、ハンドル３のケース表面からの突出を阻止される。
【００６２】
尚、ハンドル３と回動ブッシュ２の間には、図３に示される如くの間隙Ｄが存在し、ハンドル３を没入方向へ、その間隙Ｄ分だけ押し込むことができるようになっている。
【００６３】
次に、解錠時にあっては、図示しないリモートコントロールスイッチなどにより遠隔操作され、アンテナ１３（図１参照）を介して解錠信号を受信すると、図示しない制御部がモーターを作動させ、扉用電気錠の解錠を開始する。
【００６４】
即ち、モーターの作動により、図９に示される如く、先ずモーターカム５４が矢線方向に回動すると、クロー５６がモーターカム５４の当接部５８に押されて回動し、スライダ７とクロー５６の係合が解除される。この時、スライダ７は、モーターカム５４の第一弧部５９に当接しているので、駆動されない状態にある。
【００６５】
そして、モーターカム５４が矢線方向に更に回動し、図１０に示される位置にまで回動すると、スライダ７はモーターカム５４の第二弧部６０によりその一端が圧縮バネ４７によるバネ付勢力に抗してラッチ規制位置からスライダ用開口２４まで押し込まれたラッチ規制解除位置に移動される。また、スライダ７がラッチ規制解除位置にあるとき、ラッチ５の突出部４４が移動すること入り込む位置に窪み５１が位置するようになり、ラッチの突出部４４がスライダ７から離間されてラッチ５、５の係合凹部１５、１５からの離脱の規制を解除するようになるが、ラッチ５、５には、スプリング４（図１参照）の付勢力がハンドル３の軸部３０を介して間接的に掛かっているので、ラッチ５、５は離脱方向へ移動することなく、係合凹部１５、１５に係合した状態が保たれる。
【００６６】
このような状態から、図１１に示される如く、ハンドル３を矢線Ｐ方向に前記間隙Ｄ（図３参照）分だけ押し込むと、ラッチ５、５と係合凹部１５、１５とがスプリング４の付勢力の作用する方向において非接触状態となる。即ち、ラッチ５、５にスプリング４の付勢力が掛からなくなる。
【００６７】
そして、図１２及び図１３に示される如く、ラッチ５、５が互いに引き寄せられて係合凹部１５、１５から離脱する。即ち、ラッチ５の突出部４４がスライダ７の窪み５１（図１３参照）に入り込むのでラッチ５が係合凹部１５から離脱する。
【００６８】
これにより、図１４及び図１５に示される如く、ハンドル３がケース１の表面から突出し、扉８の解錠が可能となる。
【００６９】
尚、この時、上記図示しない制御部は、所定時間の経過によりモーターカム５４とクロー５６を図２に示した初期位置へ復帰させるよう制御信号を生成する。
【００７０】
続いて、閉扉して施錠する際には、上述の如く、モーターカム５４とクロー５６が既に初期位置に復帰していることから、ハンドル３を没入するだけで施錠が完了する（図２等を参照）。
【００７１】
即ち、ハンドル３をケース１内に没入すると、スライダ７は圧縮バネ４７の付勢力により付勢され、モーターカム５４側へ移動する。すると、クロー５６はその先端形状によりバネ７０の付勢力に抗して若干回動する。クロー５６が復帰すると、爪部６８と凹部４８（図７参照）とが係合する。一方、スライダ７の移動に伴い、ラッチ５、５が互いに離間する方向へ移動（上述の如く、圧縮バネ４７の付勢力が引張バネ４１の付勢力よりも大きいため）し係合凹部１５、１５に係入する。以上により、施錠が完了する。
【００７２】
続いてさらに、非常解錠する場合について説明する。
【００７３】
非常解錠時には、図４に示される如く、ワイヤ６６が引っ張られ、その一端６７を介して非常解錠がなされる。即ち、図１６に示される如く、初期位置にあるエマージェンシーカム５５が図１７に示される位置にまで回動させられると、上述した解錠時の作用と同様にスライダ７が駆動され、解錠が可能になる。
【００７４】
尚、上記ワイヤ６６の他端には、例えば図１８に示される如くのシリンダ錠７１が取り付けられている。そのシリンダ錠７１は、扉８の各所に設けることができるものとし（扉用電気錠に一体でもよい）、図中のように釣銭口７２の側面に取り付ければ、防盗性の面で効果的である（破壊行為を受け難く、また、扉８の表面からシリンダ錠７１を見つけ難いと言う利点がある。商品取り出し口も同様である）。
【００７５】
以上、図１ないし図１８までを参照しながら説明したように、ハンドル３を突出させるためのスプリング４の付勢力がラッチ５、５に間接的に掛かっても、その付勢力を容易に解除することができる。また、モータユニット６はスライダ７のみを駆動するだけであるので、大きな負荷を必要とせず、上記扉用電気錠が大型化してしまうことがない。さらには、従来の扉用電気錠の構成と比べても、上記扉用電気錠の構成自体にコストアップの要因を見いだすことはできない。
【００７６】
その他、本発明は本発明の主旨を変えない範囲で種々変更実施可能なことは勿論である。
【００７７】
即ち、例えば上述のラッチ５（図６参照）を図１９に示すようなラッチ５′に置き換えることも可能である。
以下に説明すると、ラッチ５′には、ストッパ４２（ラッチ５の構成と基本的に同じ物は同一符号を付している）の袴部４５′、４５′に突出部７３、７３が一体に形成されており、図２０に示される如く、上述のラッチ５、５（図６参照）と同様、係合凹部１５′、１５′に係入すると、その係合凹部１５′、１５′に各々形成された溝７４、７４（図２１参照、一方のみ図示）に突出部７３、７３（図２１参照、一方のみ図示）が係止されるようになっている（スプリング４（図３参照）の付勢力による）。溝７４は、ハンドル３（図１４及び図１５参照）の突出方向に凹んで形成されている。
【００７８】
従って、ハンドル３（図１１参照）を押し込まない限り（図２１において押し込み方向は左方向となる。尚、上記突出方向は右方向となる）、ラッチ５′が係合凹部１５′から離脱（図２１において離脱方向は下方向となる）することができないようになっている。
即ち、ハンドル３（図１１参照）が上記方向に押し込まれると、突出部７３、７３（図２１参照、一方のみ図示）が溝７４、７４（図２１参照、一方のみ図示）から離脱し、これらの係止状態が解除されるようになるからである。
【００７９】
これにより、仮に引張バネ４１（図３参照）がスプリング４（図３参照）の付勢力より勝っていた場合であっても、スライダ７（図３参照）が規制解除位置へ駆動された後に、ハンドル３（図３参照）が勝手に突出してしまうようなことはない。従って、ラッチ５′を用いるとともに係合凹部１５′に溝７４、７４を形成すると、信頼性が高まることになる。
【００８０】
尚、上述において、アンテナ１３を一体化しているので扉８の他の部分にアンテナ１３用の設置スペースをわざわざ確保する必要がない。また、取り付けも扉用電気錠のみで済むことから、作業性が非常によい。と記したが、アンテナ１３のような受信部の一体化は、本形態のような扉用電気錠に限定されるものではない。
即ち、電気的な遠隔操作がなされることにより、（自動販売機）本体を閉塞する扉の開扉が可能となる電気的解錠手段と、解錠によりケースの表面から突出するように構成されたハンドルと、を備えた扉用電気錠を対象とし、前記ケースは前記ハンドルを構成するレバーのためのレバー収納凹部を有し、該レバー収納凹部に前記電気的解錠手段を遠隔操作するための受信部の少なくとも一部を露出させたことを特徴とする。
【００８１】
【発明の効果】
以上説明したように、請求項１に記載された本発明によれば、扉用電気錠は、扉に付けられ、係合凹部を有するハンドル挿入孔が形成されたケースと、前記ハンドル挿入孔に回動可能に挿入され、前記係合凹部に対向する位置にラッチ用開口が形成された回動ブッシュと、該回動ブッシュの軸方向にスライド可能に挿入されるとともに、前記軸方向に対して直交しかつ互いに直交する方向にラッチ挿入孔とスライダ挿入孔とが形成された軸部を有する引き出し型のハンドルと、前記軸方向となる前記回動ブッシュと前記軸部との間に介在し、前記ハンドルを前記ケース表面から突出させる方向へ付勢するスプリングと、バネ付勢力が付与されて前記ラッチ挿入孔に挿入されていて、前記バネ付勢力に抗して前記ラッチ挿入孔及び前記ラッチ用開口を移動されて前記係合凹部に係入されることにより、前記ハンドルの前記ケース表面からの突出を阻止するラッチと、バネ付勢力が付与されて前記スライダ挿入孔に挿入されていて、前記バネ付勢力によりラッチ規制位置に前記スライダ挿入孔を移動されることによって前記ラッチと接触して前記ラッチに付与されている前記バネ付勢力に抗して前記ラッチを前記係合凹部に対して係入させるとともに前記ラッチの前記係合凹部からの離脱を規制し、前記バネ付勢力に抗してラッチ規制解除位置に前記スライダ挿入孔を移動されることによって前記ラッチから離間されて前記ラッチの前記係合凹部からの離脱の規制を解除するスライダと、前記ケースに設けられ、解錠信号に基いて前記スライダに付与されている前記バネ付勢力に抗して駆動部材を介し前記スライダを前記ラッチ規制位置から前記ラッチ規制解除位置に移動させるように駆動するスライダ駆動ユニットとを備え、前記軸部を介して前記ラッチに付与される前記スプリングの付勢力により、前記スライダが前記ラッチ規制位置から前記ラッチ規制解除位置に移動されても前記係合凹部に対する前記ラッチの係入状態が保持され、前記スプリングの前記付勢力に抗する前記ハンドルの前記軸方向への押し込みにより、前記係合凹部に対する前記ラッチの係入状態を保持している前記ラッチに対する前記スプリングの付勢力が解除されて前記ラッチに付与されている前記バネ付勢力により前記ラッチが前記係合凹部から離脱されて前記スプリングの付勢力により前記ハンドルが前記ケース表面から突出されるように構成されている。
即ち、ハンドルがケース内に没入している際、スライダ駆動ユニットに解錠信号が与えられると、駆動部材を介してスライダがスライダ挿入孔の延在方向へ駆動されることになる。この時、スライダはラッチから離間されてラッチの係合凹部からの離脱の規制を解除するラッチ規制解除位置に駆動されている。また、スプリングはハンドルをケースの表面から突出させる方向に付勢しているが、その付勢力はハンドルの軸部を介して間接的にラッチに作用し、この付勢力によって、ラッチに付与されているバネ付勢力によりラッチが係合凹部から離脱することが阻止されているので、ハンドルの突出を阻止している状態となっている。その後、この状態から、ハンドルをスプリングに抗して押し込むと、付勢力がハンドルのみに掛かり、それまでラッチに間接的に掛かっていたスプリングの付勢力が解除されることになる。そして、その付勢力の解除に伴い、ラッチと係合凹部の係合がラッチのバネ付勢により解除されると、ハンドルがケースの表面から突出することになる。
以上のことから、ハンドルを突出させるためのスプリングの付勢力がラッチに間接的に掛かっても、その付勢力を容易に解除することができるので、解錠時の作動がスムーズになる。また、スライダ駆動ユニットはスプリングの付勢力の掛かっていないスライダを、これに付与されているバネ付勢力に抗してラッチ規制位置からラッチ規制解除位置に移動させるだけでよく、大きな負荷を必要としないので、上記扉用電気錠が大型化してしまうこともない。さらには、従来の扉用電気錠の構成と比べても、上記扉用電気錠の構成自体にコストアップの要因を見いだすことはできない。
尚、当然ではあるが、扉の表面に例えばシリンダ錠を設けなくとも解錠することができることになるから、シリンダ錠を狙った犯罪を防止することができる。これにより、防盗性の向上が図られる。
【００８２】
請求項２に記載された本発明によれば、ラッチは、互いに引き寄せられる方向にバネ付勢された一対のラッチであり、また、スライダの規制解除位置には、その一対のラッチが係合凹部から離脱する際の逃がしとなる窪みを形成していることから、小型化を図ることができるという効果を奏する。
即ち、従来のように、回動ブッシュの外方においてラッチを内方へ没入させる構成ではないので、ラッチ挿入孔の延在方向に扉用電気錠自体が大きくなることはない。むしろ、スライダの配置を鑑みれば、小型化を図ることが可能である。
【００８３】
請求項３に記載された本発明によれば、係合凹部は、ハンドルの突出方向に凹む溝を有し、ラッチには、ハンドルがスプリングに抗して軸方向に押し込まれた際に、係合凹部の溝との係止状態が解除される突出部を形成していることから、ハンドルを押し込まない限り、ラッチが係合凹部から離脱できないようになっている。これにより、仮にラッチのバネ付勢がスプリングの付勢力より勝っていた場合であっても、スライダが規制解除位置へ駆動された後に、ハンドルが勝手に突出してしまうようなことはない。
従って、上述の他に、信頼性を高めることもできるという効果を奏する。
【００８４】
請求項４に記載された本発明によれば、スライダ駆動ユニットが解錠信号に基いてスライダを駆動した後、所定時間を経て駆動部材をスライダの駆動前の状態に復帰させていることから、施錠時において、それまで規制解除位置にあったスライダを元の位置に復帰させることができるようになる。これにより、ラッチが係合凹部に係合可能となり、ハンドルを没入させることができるようになる。
従って、施錠時の作動をスムーズにすることができるという効果を奏する。
【００８５】
請求項５に記載された本発明によれば、ラッチのバネ付勢力よりも大きい付勢力でスライダをスライダ駆動ユニットに向けて付勢していることから、ハンドルを没入させると、ラッチが係合凹部に係合する方向に容易に移動する。
従って、上記構成にすることにより、施錠時の作動をさらにスムーズにすることができるという効果を奏する。
尚、施錠後に誤って例えば解錠カードをかざして解錠してしまっても、施錠状態となることから、防盗性の向上も図ることができる。
【００８６】
請求項６に記載された本発明によれば、スライダに対する移動規制部材を更に備えていることから、扉用電気錠に例えば上記付勢力よりも大きな衝撃力が外部から掛かったとしてもスライダが移動してしまうことはないので、防盗性の向上を図ることができる。
【００８７】
請求項７に記載された本発明によれば、ケースは、軸部に連成されてハンドルを構成するレバーのためのレバー収納凹部を有し、そのレバー収納凹部にはスライダ駆動ユニットを遠隔操作するための受信部の少なくとも一部を露出させていることから、小型化を図ることができるという効果を奏する。
即ち、受信部を扉用電気錠とは別に設ける必要がないことから、受信部用の設置スペースをわざわざ扉に確保しなくてもよい。また、取り付けも扉用電気錠のみで済むことから、作業性が非常によい。
【００８８】
請求項８に記載された本発明によれば、レバーの端部には、少なくとも一部を露出させた受信部を臨む切り欠き凹部を形成していることから、ハンドルの操作性を損なわずに、一層小型化を図ることができるという効果を奏する。
【００８９】
請求項９に記載された本発明によれば、スライダ駆動ユニットは、扉の所定位置から非電気的に操作されるとともに、駆動部材とは別にスライダに接してそのスライダをスライダ挿入孔の延在方向へ駆動することが可能な非常解錠用駆動部材を有していることから、扉用電気錠が電気的に故障しても非常解錠用駆動部材を操作することで非常解錠をすることができるという効果を奏する。
【００９０】
請求項１０に記載された本発明によれば、扉は釣銭口を有し、その釣銭口内には連動部材を介して非常解錠用駆動部材を操作するシリンダ錠を配設していることから、シリンダ錠を狙って不正解錠しようとしても、釣銭口がそれを阻止して犯罪を防止することができるという効果を奏する。また、シリンダ錠の配設位置が非常に分かり難くなることから、防盗性の向上を図ることができるという効果も奏する。
【図面の簡単な説明】
【図１】本発明による扉用電気錠の一実施の形態を示す横断面図である。
【図２】図１のＡ−Ａ線断面図である。
【図３】図１のＢ−Ｂ線断面図である。
【図４】扉用電気錠の背面図である。
【図５】ハンドルの正面図である。
【図６】ラッチ単体の図面であり、（ａ）は平面図、（ｂ）は正面図、（ｃ）は左側面図である。
【図７】スライダ単体の図面であり、（ａ）は平面図、（ｂ）は正面図、（ｃ）は底面図である。
【図８】図４に対し保護カバーを取り除いた状態の背面図である。
【図９】解錠が開始された直後の状態を上記Ａ−Ａ線断面方向から見た断面図である。
【図１０】図９の状態からモーターカムがさらに回動してスライダを駆動した状態を上記Ａ−Ａ線断面方向から見た断面図である。
【図１１】図１０の状態においてハンドルを没入方向へ押し込んだ状態を上記Ｂ−Ｂ線断面方向から見た断面図である。
【図１２】図１１の状態からラッチが係合凹部から離脱した状態を上記Ｂ−Ｂ線断面方向から見た断面図である。
【図１３】図１２の状態を上記Ａ−Ａ線断面方向から見た断面図である。
【図１４】図１２の状態からハンドルがケース表面から突出した状態を上記Ｂ−Ｂ線断面方向から見た断面図である。
【図１５】図１４の状態の横断面である。
【図１６】施錠時におけるエマージェンシーカムの配置を示す上記Ａ−Ａ線断面方向の断面図である。
【図１７】図１６の状態から非常解錠がなされエマージェンシーカムが解錠方向に回動した状態の上記Ａ−Ａ線断面方向の断面図である。
【図１８】非常解錠するためのシリンダ錠の配置例を示す説明図である。
【図１９】図６のラッチに対して他の例となるラッチ単体の図面であり、（ａ）は平面図、（ｂ）は正面図、（ｃ）は左側面図である。
【図２０】図１９のラッチを装着した状態を上記Ａ−Ａ線断面方向から見た断面図である。
【図２１】図２０のＥ−Ｅ線断面図である。
【図２２】従来例の扉用電気錠の横断面図である。
【図２３】図２２のＣ−Ｃ線断面図である。
【図２４】図２３のＤ−Ｄ線断面図である。
【図２５】解錠時の状態を示す上記Ｃ−Ｃ線断面方向の断面図である。
【図２６】解錠時の状態を示す横断面図である。
【符号の説明】
１              ケース
２              回動ブッシュ
３              ハンドル
４              スプリング
５              ラッチ
６              モータユニット（駆動ユニット）
７              スライダ
８              扉
９              レバー格納凹部
１０            ハンドル挿入孔
１１            ユニット収容室
１２            カバー
１３            アンテナ
１４            アンテナ収容室
１５            係合凹部
１６            アンテナ本体
１７            カバー
１８            カバー
１９            長孔
２０            保護カバー
２１            周壁
２２            後壁
２３            ラッチ用開口
２４            スライダ用開口
２５            ストッパ部分
２６            突起
２７            施錠カム
２８            環状段部
２９            カム部
３０            軸部
３１            レバー部
３２            ラッチ挿入孔
３３            スライダ挿入孔
３４            環状凹部
３５            ガードキャップ
３６            保護部
３７            固定軸
３８            環状溝
３９            固定ねじ
４０            切り欠き凹部
４１            引張バネ
４２            ストッパ
４３            バネ軸
４４            突出部
４５            袴部
４６            溝
４７            圧縮バネ
４８            凹部
４９            凹部
５０            逃がし部
５１            窪み
５２            段部
５３            出力軸
５４            モーターカム（駆動部材）
５５            エマージェンシーカム（非常解錠用駆動部材）
５６            クロー（移動規制部材）
５７            ガードプレート
５８            当接部
５９            第一弧部
６０            第二弧部
６１            バネ
６２            当接部
６３            第一弧部
６４            第二弧部
６５            突起
６６            ワイヤ
６７            一端
６８            爪部
６９            平面部
７０            バネ
７１            シリンダ錠
７２            釣銭口
７３            突出部
７４            溝
【図１】
0004194713.tif 000002
【図２】
0004194713.tif 000003
【図３】
0004194713.tif 000004
【図４】
0004194713.tif 000005
【図５】
0004194713.tif 000006
【図６】
0004194713.tif 000007
【図７】
0004194713.tif 000008
【図８】
0004194713.tif 000009
【図９】
0004194713.tif 000010
【図１０】
0004194713.tif 000011
【図１１】
0004194713.tif 000012
【図１２】
0004194713.tif 000013
【図１３】
0004194713.tif 000014
【図１４】
0004194713.tif 000015
【図１５】
0004194713.tif 000016
【図１６】
0004194713.tif 000017
【図１７】
0004194713.tif 000018
【図１８】
0004194713.tif 000019
【図１９】
0004194713.tif 000020
【図２０】
0004194713.tif 000021
【図２１】
0004194713.tif 000022
【図２２】
0004194713.tif 000023
【図２３】
0004194713.tif 000024
【図２４】
0004194713.tif 000025
【図２５】
0004194713.tif 000026
【図２６】
0004194713.tif 000027